(57)【要約】【課題】  施工面を掘り起こすことなく、蓋体を容易に交換することが可能な支柱立設用鞘管を提供する。【解決手段】  上端の支柱挿入口１１１を施工面に露出させた状態で埋め込まれる鞘管本体１１０と、支柱挿入口１１１の開閉を行う蓋体１２０と、鞘管本体１１０の上端近傍の外周部から外方に突出して設けられた蓋体取付基体１３０と、蓋体１４０の基端側に設けられた取付片１２１を回動可能な状態で取り付ける蓋体取付機構１４０とを備えた支柱立設用鞘管１００において、蓋体取付基体１３０の上端に設けられた蓋体取付口１３１を通じた操作のみによって、取付片１２１を蓋体取付機構１４０に取り付け又は蓋体取付機構１４０から取り外すことが可能な構造とした。【選択図】図６
2015187348.tif 000002
【特許請求の範囲】
【請求項１】
上端に支柱挿入口を有する筒状部材によって形成され、その支柱挿入口を施工面に露出させた状態で施工面下に埋め込まれる鞘管本体と、
基端側に取付片を有する板状部材によって形成され、支柱挿入口の開閉を行う蓋体と、
上端に蓋体取付口を有する囲壁状部材によって形成され、鞘管本体の上端近傍の外周部から外方に突出して設けられた蓋体取付基体と、
蓋体取付基体の内側に設けられ、蓋体取付口から蓋体取付基体の内側に挿入された取付片を回動可能な状態で取り付ける蓋体取付機構と、
を備えた支柱立設用鞘管であって、
蓋体取付口を通じた操作のみによって取付片を蓋体取付機構に取り付け又は蓋体取付機構から取り外しすることが可能な構造とされたことを特徴とする支柱立設用鞘管。
【請求項２】
蓋体取付機構が、
蓋体取付基体の内側に突出して設けられた支軸と、
支軸の外周部に対して回動可能な状態で巻回された巻回部、及び、弾性的に進退変位可能な係合端部を有する弾性部材と、
で構成され、
蓋体の取付片に、支軸を挿通するための支軸挿通孔と、支軸を取付片の外縁部から支軸取付孔まで導入するための支軸導入路と、弾性部材における係合端部を係合するための被係合部とが設けられた
請求項１記載の支柱立設用鞘管。
【請求項３】
請求項１又は請求項２記載の支柱立設用鞘管を用いて施工面に支柱を立設する支柱の立設方法。
【発明の詳細な説明】
【技術分野】
【０００１】
本発明は、ボラード等の支柱を地面等の施工面に立設するために施工面下に埋め込まれる支柱立設用鞘管と、これを用いた支柱の立設方法とに関する。
【背景技術】
【０００２】
ボラード等の支柱を地面等の施工面に立設する際には、支柱立設用鞘管を施工面下に埋め込むことが行われている。支柱立設用鞘管は、これまでに種々のものが提案されている。例えば、図１０，１１に示すように、支柱の下端部を挿入するための鞘管本体１１０と、鞘管本体１１０の上端に設けられた支柱挿入口１１１の開閉を行う蓋体１２０と、鞘管本体１１０の上端近傍の外周部から外方に突出して設けられた蓋体取付基体１３０と、蓋体取付基体１３０の内側で蓋体１２０を回動可能な状態で取り付ける支軸１４１とを備えた支柱立設用鞘管１００が知られている。図１０は、従来の支柱立設用鞘管１００の全体を示した斜視図である。図１１は、図１０に示す従来の支柱立設用鞘管１００を、鞘管本体１１０及び蓋体取付基体１３０と、蓋体１２０と、支軸１４１とに分解した状態を示した拡大斜視図である。この種の従来の蓋付きの支柱立設用鞘管１００において、蓋体１２０は、鞘管本体１１０に支柱が挿入されていないときに支柱挿入口１１１を塞ぐだけでなく、鞘管本体１１０に支柱が挿入されているときに支柱が鞘管本体１１０から引き抜かれないように支柱を固定する機能をも有している（例えば、特許文献１の段落００２４及び図５を参照。）。
【０００３】
しかし、この種の蓋付きの支柱立設用鞘管１００では、蓋体１２０が破損することがあり、蓋体１２０の交換が必要となる場合があるところ、このような場合でも、蓋体１２０の交換を容易に行えないという欠点があった。というのも、この種の支柱立設用鞘管１００では、図１１に示すように、蓋体１２０の基端側に設けた支軸挿通孔１２１ｃに支軸１４１を挿通することで蓋体１２０を回動可能な状態で取り付けていたことに加えて、支軸１４１は、蓋体取付基体１３０の外側から固定する構造となっていたため、蓋体１２０を取り外そうとすると、蓋体取付基体１３０の外側から支軸１４１を取り外さなければならないところ、蓋体取付基体１３０は、その蓋体取付口１３１を除いて施工面下に埋め込まれた状態となっているため、施工面を掘り起こさない限りは、蓋体取付基体１３０から支軸１４１を取り外すことができなかったからである。鞘管本体１１０の周囲の施工面は、モルタル等の充填材や、アスファルトやコンクリート等の舗装材で固められていることが多く、このような場合には、蓋体１２０の交換作業は一層困難となる。
【先行技術文献】
【特許文献】
【０００４】
【特許文献１】特開２０１１−２４１６７１号公報
【発明の概要】
【発明が解決しようとする課題】
【０００５】
本発明は、上記課題を解決するためになされたものであり、施工面を掘り起こすことなく、蓋体を容易に交換することが可能な支柱立設用鞘管を提供するものである。また、この支柱立設用鞘管を用いた支柱の立設方法を提供することも本発明の目的である。
【課題を解決するための手段】
【０００６】
上記課題は、
上端に支柱挿入口を有する筒状部材によって形成され、その支柱挿入口を施工面に露出させた状態で施工面下に埋め込まれる鞘管本体と、
基端側に取付片を有する板状部材によって形成され、支柱挿入口の開閉を行う蓋体と、
上端に蓋体取付口を有する囲壁状部材によって形成され、鞘管本体の上端近傍の外周部から外方に突出して設けられた蓋体取付基体と、
蓋体取付基体の内側に設けられ、蓋体取付口から蓋体取付基体の内側に挿入された取付片を回動可能な状態で取り付ける蓋体取付機構と、
を備えた支柱立設用鞘管であって、
蓋体取付口を通じた操作のみによって取付片を蓋体取付機構に取り付け又は蓋体取付機構から取り外しすることが可能な構造とされたことを特徴とする支柱立設用鞘管
を提供することによって解決される。
【０００７】
本発明の支柱立設用鞘管では、蓋体取付口を通じた操作のみによって蓋体取付機構に取付片を取り付け又は蓋体取付機構から取付片を取り外しすることが可能な構造となっているため、手や工具等を蓋体取付口から蓋体取付基体の内側に挿入し、蓋体取付機構を操作することで、施工面を掘り起こすことなく、蓋体を容易に交換することが可能となっている。
【０００８】
本発明の支柱立設用鞘管において、蓋体取付機構や、蓋体の取付片は、蓋体取付口を通じた操作のみによって取付片を蓋体取付機構に取り付け又は蓋体取付機構から取り外しすることが可能なものであれば、その具体的な構造は特に限定されない。例えば、図７に示すように、蓋体取付機構を支軸１４１で構成するとともに、蓋体１２０の取付片１２１に、支軸１４１を挿通するための支軸挿通孔１２１ｃと、支軸１４１を取付片１２１の外縁部から支軸挿通孔１２１ｃまで導入するための支軸導入路１２１ｄと、支軸導入路１２１ｄの開閉を行う開閉手段１５０とを設けてもよい。図７は、本発明に係る支柱立設用鞘管１００の第一の変形例を、鞘管本体１１０及び蓋体取付基体１３０と、蓋体１２０と、支軸１４１（蓋体取付機構）とに分解した状態を示した拡大斜視図である。また、図８に示すように、蓋体取付機構を蓋体取付基体１３０の内側から蓋体取付基体１３０の内面に固定される支軸１４１で構成するとともに、蓋体１２０の取付片１２１に、支軸１４１を挿通するための支軸挿通孔１２１ｃを設けてもよい。図８は、本発明に係る支柱立設用鞘管１００の第二の変形例を、鞘管本体１１０及び蓋体取付基体１３０と、蓋体１２０と、支軸１４１（蓋体取付機構）とに分解した状態を示した拡大斜視図である。さらに、図９に示すように、蓋体取付機構をその中心軸方向に伸縮可能な支軸１４１によって構成するとともに、蓋体１２０の取付片１２１に、支軸１４１を挿通するための支軸挿通孔１２１ｃを設けてもよい。図９は、本発明に係る支柱立設用鞘管１００の第三の変形例を、鞘管本体１１０及び蓋体取付基体１３０と、蓋体１２０と、支軸１４１（蓋体取付機構）とに分解した状態を示した拡大斜視図である。図７〜９の支柱立設用鞘管は、いずれも、蓋体取付口１３１を通じた操作のみによって取付片１２１を支軸１４１（蓋体取付機構）に取り付け又は支軸１４１（蓋体取付機構）から取り外しすることが可能なものとなっている。
【０００９】
しかし、蓋体取付機構に対する取付片の着脱をさらに簡単な操作で行うことができるようにしながらも、蓋体取付機構に取り付けられた取付片が意図しないときに脱落するのを防止することや、簡素な構造で製造コストを抑えること等を考慮すると、蓋体取付機構と蓋体の取付片は、以下のように構成すると好ましい。すなわち、図４〜６に示すように、蓋体取付機構１４０を、蓋体取付基体１３０の内側に突出して設けられた支軸１４１と、支軸１４１の外周部に対して回動可能な状態で巻回された巻回部１４２ａ、及び、弾性的に進退変位可能な係合端部１４２ｂを有する弾性部材１４２とで構成し、蓋体１２０の取付片１２１に、支軸１４１を挿通するための支軸挿通孔１２１ｃと、支軸１４１を取付片１２１の外縁部から支軸取付孔１２１ｃまで導入するための支軸導入路１２１ｄと、弾性部材１４２における係合端部１４２ｂを係合するための被係合部１２１ｅとを設ける構成である。この支柱立設用鞘管では、蓋体１２０の取付片１２１における被係合部１２１ｅに弾性部材１４２の係合端部１４２ｅを係合させる、又は、その係合を解除するという簡単な操作のみで、支軸１４１に対して取付片１２１を取り付ける、又は、支軸１４１から取付片１２１を取り外すことができるようになっている。また、この支柱立設用鞘管における蓋体１２０は、図１０，１１に示す従来の支柱立設用鞘管の蓋体１２０における取付片１２１に支軸導入路１２１ｄと被係合部１２１ｅを加工するだけで作製することができ、新たに必要となる部品は、弾性部材１４２のみとなっている。このため、製造コストを抑えることも可能となる。
【発明の効果】
【００１０】
以上のように、本発明によって、施工面を掘り起こすことなく、蓋体を容易に交換することが可能な支柱立設用鞘管を提供することが可能になる。また、この支柱立設用鞘管を用いた支柱の立設方法を提供することも可能になる。
【図面の簡単な説明】
【００１１】
【図１】本発明に係る好適な実施態様の支柱立設用鞘管を施工面に埋め込んだ状態を支柱立設用鞘管の中心線を含む平面で切断した状態を示した断面図である。
【図２】図１に示す支柱立設用鞘管を使用して施工面に支柱を立設した状態を支柱立設用鞘管の中心線を含む平面で切断した状態を示した断面図である。
【図３】図１に示す支柱立設用鞘管の全体を示した斜視図である。
【図４】図１に示す支柱立設用鞘管における支柱挿入口の周辺を拡大して示した拡大斜視図である。
【図５】図１に示す支柱立設用鞘管を、鞘管本体及び蓋体取付基体と、蓋体と、蓋体取付機構とに分解した状態を示した拡大斜視図である。
【図６】図１に示す支柱立設用鞘管における蓋体取付機構に蓋体の取付片を取り付けている状態を示した拡大斜視図である。
【図７】本発明に係る支柱立設用鞘管の第一の変形例を、鞘管本体及び蓋体取付基体と、蓋体と、支軸（蓋体取付機構）とに分解した状態を示した拡大斜視図である。
【図８】本発明に係る支柱立設用鞘管の第二の変形例を、鞘管本体及び蓋体取付基体と、蓋体と、支軸（蓋体取付機構）とに分解した状態を示した拡大斜視図である。
【図９】本発明に係る支柱立設用鞘管の第三の変形例を、鞘管本体及び蓋体取付基体と、蓋体と、支軸（蓋体取付機構）とに分解した状態を示した拡大斜視図である。
【図１０】従来の支柱立設用鞘管の全体を示した斜視図である。
【図１１】図１０に示す従来の支柱立設用鞘管を、鞘管本体及び蓋体取付基体と、蓋体と、蓋体取付機構とに分解した状態を示した拡大斜視図である。
【発明を実施するための形態】
【００１２】
本発明に係る支柱立設用鞘管と、これを用いた支柱の立設方法の好適な実施態様について図面を用いてより具体的に説明する。図１は、本発明に係る好適な実施態様の支柱立設用鞘管１００を施工面αに埋め込んだ状態を支柱立設用鞘管１００の中心線を含む平面で切断した状態を示した断面図である。図２は、図１に示す支柱立設用鞘管１００を使用して施工面αに支柱２００を立設した状態を支柱立設用鞘管１００の中心線を含む平面で切断した状態を示した断面図である。図３は、図１に示す支柱立設用鞘管１００の全体を示した斜視図である。図４は、図１に示す支柱立設用鞘管１００における支柱挿入口１１１の周辺を拡大して示した拡大斜視図である。図５は、図１に示す支柱立設用鞘管１００を、鞘管本体１１０及び蓋体取付基体１３０と、蓋体１２０と、蓋体取付機構１４０とに分解した状態を示した拡大斜視図である。図６は、図１に示す支柱立設用鞘管１００における蓋体取付機構１４０に蓋体１２０の取付片１２１を取り付けている状態を示した拡大斜視図である。
【００１３】
本実施態様の支柱立設用鞘管１００は、図３に示すように、上端に支柱挿入口１１１を有する筒状部材によって形成された鞘管本体１１０と、基端側に取付片１２１を有する板状部材によって形成された蓋体１２０と、上端に蓋体取付口１３１を有する囲壁状部材によって形成された蓋体取付基体１３０と、蓋体取付基体１３０の内側に収容された蓋体取付機構１４０とを備えている。この支柱立設用鞘管１００は、図１に示すように、その鞘管本体１１０及び蓋体取付基体１３０が施工面α下へ埋め込まれて施工される。このとき、鞘管本体１１０における支柱挿入口１１１と、蓋体取付基体１３０における蓋体取付口１３１は、施工面αに露出するように、施工面αと同じ高さに調節される。支柱挿入口１１１には、図２に示すように、支柱２００の下端部が挿入され、支柱２００が施工面αから立設した状態に保たれる。図２において、支柱２００は、図示の便宜上、中実な部材として描いているが、支柱２００は、中実な部材に限定されず、中空な部材を用いることも多い。特に、支柱２００がボラードである場合には、その中空部に、発光ダイオード等の光源や、光源に電力を供給するための電線や電源、支柱２００に弾力性を付与するためのスプリング材等、各種の部材が収容されることが多い。
【００１４】
本実施態様の支柱立設用鞘管１００において、その鞘管本体１１０及び蓋体取付基体１３０は、施工面αに掘った穴に対して直接埋め込んでもよいが、図１に示すように、施工面αに掘った穴の底部に切り込み砕石３００（クラッシャーラン）を敷き詰めて、その穴に筒状の基礎ブロック３１０を埋め込んだ後、基礎ブロック３１０に設けられた鞘管収容孔３１１に鞘管本体１１０及び蓋体取付基体１３０を挿入することで、鞘管本体１１０及び蓋体取付基体１３０を施工面αの下側に埋め込むと好ましい。鞘管本体１１０及び蓋体取付基体１３０の外周面と鞘管収容孔３１１の内周面との隙間には、通常、モルタル等の充填材３２０が充填される。これにより、施工後の支柱立設用鞘管１００における鞘管本体１１０をぐらつかないように安定して施工面α下に固定するだけでなく、鞘管本体１１０の支柱挿入口１１１の高さを施工面αに容易に一致させることが可能になる。
【００１５】
本実施態様の支柱立設用鞘管１００は、各種の支柱２００を施工面αに立設する際に使用することができる。本実施態様の支柱立設用鞘管１００で立設する支柱２００は、標識や看板の支柱等、施工面αに対して完全に固定されるもの（施工面αから取り外すことが想定されていない支柱）であってもよいが、施工面αに対して完全に固定されないもの（施工面αから取り外すことが想定されている支柱）であると好適である。後者の支柱２００の代表例として、ボラード等が挙げられる。以下、本実施態様の支柱立設用鞘管１００を構成する各部材について、詳しく説明する。
【００１６】
［鞘管本体］
鞘管本体１１０は、図２に示すように、立設対象の支柱２００の下部を挿入するための部分となっている。鞘管本体１１０の寸法や形状は、支柱２００の寸法や種類等によっても異なり、特に限定されない。本実施態様の支柱立設用鞘管１００において、鞘管本体１１０は、外径が８９．１ｍｍ、内径が８２．７ｍｍ、高さが４２０ｍｍの有底円筒状に形成しており、ボラード等の支柱２００を立設するものとして好適に使用できるものとなっている。また、鞘管本体１１０の素材は、必要な強度を有するものであれば、特に限定されないが、通常、強度と耐食性に優れた金属が採用される。本実施態様の支柱立設用鞘管１００において、鞘管本体１１０は、耐食処理（溶融亜鉛メッキ）を施した炭素鋼によって形成している。
【００１７】
［蓋体］
蓋体１２０は、図５に示すように、その基端側に取付片１２１が設けられている。蓋体１２０は、鞘管本体１１０に支柱２００が挿入されていないときに、支柱挿入口１１１を塞ぐだけでなく、図２に示すように、鞘管本体１１０に支柱２００が挿入されているときには、支柱２００が鞘管本体１１０から引き抜かれないように、鞘管本体１１０と支柱２００を連結する機能をも有している。本実施態様の支柱立設用鞘管１００において、蓋体１２０には、固定孔１２２を設けており、この固定孔１２２に固定具４００を通すことにより、蓋体１２０に対して支柱２００を固定できるようにしている。
【００１８】
蓋体１２０における取付片１２１は、後述する蓋体取付機構１４０に対して回動可能に取り付けることができるものであれば、特に限定されない。本実施態様の支柱立設用ボラード１００において、取付片１２１は、図５に示すように、蓋体１２０の基端側から突出した基板部１２１ａと、基板部１２１ａの両側縁から蓋体１２０の下面側に起立した一対の起立部１２１ｂとで構成している。それぞれの起立部１２１ｂには、支軸挿通孔１２１ｃと、支軸導入路１２１ｄと、被係合部１２１ｅとを設けている。これらのうち、支軸挿通孔１２１ｃは、後述する蓋体取付機構１４０における支軸１４１を挿通するための部分となっている。また、支軸導入路１２１ｄは、後述する蓋体取付機構１４０における支軸１４１を取付片１２１の外縁部から支軸取付孔１２１ｃまで導入するための部分となっている。さらに、被係合部１２１ｅは、後述する蓋体取付機構１４０における弾性部材１４２の係合端部１４２ｂを係合するための部分となっている。
【００１９】
蓋体１２０の寸法や形状は、それが塞ぐ支柱挿入口１１１の寸法や形状等によっても異なり、特に限定されない。本実施態様の支柱立設用鞘管１００では、蓋体１２０における取付片１２１を除いた部分（支柱挿入口１１１を塞ぐ部分）は、半径が１００ｍｍの円形となっている。蓋体１２０における支柱挿入口１１１を塞ぐ部分は、必ずしも連続面状に形成する必要はなく、メッシュ状に形成する等、開口部を設けてもよい。また、必要に応じて、凹凸や各種意匠を施してもよい。蓋体１２０の素材は、特に限定されないが、通常、強度と耐食性に優れた金属が採用される。本実施態様の支柱立設用鞘管１００において、蓋体１２０は、耐食処理（溶融亜鉛メッキ）を施した炭素鋼によって形成している。
【００２０】
［蓋体取付基体］
蓋体取付基体１３０は、図５に示すように、鞘管本体１１０の上端近傍の外周部から外方に突出して設けられている。蓋体取付基体１３０は、後述する蓋体取付機構１４０を収容するための部分となっている。蓋体取付基体１３０は、その外側の充填材３２０（図１，２を参照。）や土等がその内側（後述する蓋体取付機構１４０が収容される空間）に入り込まないようにできるものであれば、その寸法や形状を限定されない。本実施態様の支柱立設用鞘管１００において、蓋体取付基体１３０は、縦が約６５ｍｍ、横が約３８ｍｍ、高さが約３５ｍｍの有底中空直方体状となっている。蓋体取付基体１３０の素材は、特に限定されないが、通常、強度と耐食性に優れた金属が採用される。本実施態様の支柱立設用鞘管１００において、蓋体取付基体１３０は、鞘管本体１１０と同じ素材（炭素鋼）によって形成しており、鞘管本体１１０に溶接している。
【００２１】
［蓋体取付機構］
蓋体取付機構１４０は、図４〜６に示すように、蓋体取付口１３１から蓋体取付基体１３０の内側に挿入された蓋体１２０の取付片１２１を回動可能な状態で取り付けるためのものとなっている。蓋体取付機構１４０は、蓋体取付口１３１を通じた操作のみによって取付片１２１を取り付け又は取り外しすることが可能なものであれば、その具体的な構造は特に限定されない。蓋体取付基体１４０は、既に述べたように、図７〜９に示すような形態としてもよいが、本実施態様の支柱立設用鞘管１００においては、図４〜６に示すように、蓋体取付基体１３０の内側に突出した状態に設けられる支軸１４１と、支軸１４１の外周部に対して回動可能な状態で巻回された弾性部材１４２とで構成している。支軸１４１は、蓋体取付基体１３０の一対の側壁に設けられた支軸挿通孔１３２に挿通可能なボルトを用いている。支軸１４１の先端には、ナット１４３が螺合される。本実施態様の支柱立設用鞘管１００においては、２個のナット１４３を使用しており、緩みにくくしている。一方、弾性部材１４２は、支軸１４１の外周部に対して回動可能な状態で巻回された一対の巻回部１４２ａと、巻回部１４２ａの両端部に設けられた弾性的に進退変位可能な一対の係合端部１４２ｂと、一対の巻回部１４２ａを連結する連結部１４２ｃとで構成している。
【００２２】
弾性部材１４２におけるそれぞれの巻回部１４２ａは、その巻数が１巻に足らず、開環状（Ｃ字状）となっていても、その開いた部分の隙間の幅が支軸１４１の外径よりも小さく、その隙間から支軸１４１が抜け出ないものであればよい。本実施態様の支柱立設用鞘管１００における弾性部材１４２も、そのような形態としている。弾性部材１４２の素材は、必要な強度と弾性を有するものであれば特に限定されない。本実施態様の支柱立設用鞘管１００において、弾性部材１４２は、ステンレス鋼からなる１本のバネ線材を折り曲げることによって形成している。
【００２３】
この蓋体取付機構１４０には、以下の取付手順１〜７により、取付片１２１を取り付けることができる。
［取付手順１］  取付片１２１を蓋体取付口１３１から蓋体取付基体１３０の内側に挿入する（図６）。
［取付手順２］  支軸導入路１２１ｄの入口が支軸１４１の側（下側）を向くように、取付片１２１の角度を調節する。
［取付手順３］  支軸１４１の外周部における一対の巻回部１４２ａが巻回された部分の外側に一対の起立部１２１ｂを宛がう。
［取付手順４］  取付片１２１を動かし、それぞれの支軸導入路１２１ｄを通じてそれぞれの支軸挿通孔１２１ｃまで支軸１４１を導き入れる。
［取付手順５］  弾性部材１４２における一対の係合端部１４２ｂを内側へ押し込んで弾性的に変位させる。
［取付手順６］  取付片１２１又は弾性部材１４２の角度を調節し、弾性部材１４２における一対の係合端部１４２ｂをそれぞれの被係合部１２１ｅに重ね合わせる。
［取付手順７］  弾性部材１４２の一対の係合端部１４２ｂの押し込みを解除し、一対の係合端部１４２ｂを初期位置に復帰させ、一対の係合端部１４２ｂをそれぞれの被係合部１２１ｅに係合させる（図４）。
【００２４】
上記の取付手順７を終えた図４の状態において、弾性部材１４２は、その係合端部１４２ｂが被係合部１２１ｅに係合されていることによって、取付片１２１（蓋体１２０）と一体的に回動する状態となっており、取付片１２１をいずれの向きに回動させても、支軸導入路１２１ｄが弾性部材１４２の巻回部１４２ａによって常に分断された状態となる。このため、取付片１２１を操作して、支軸１４１から取付片１２１を引き抜こうとしても、支軸１４１を支軸挿通孔１２１ｃから支軸導入路１２１ｄへ移動させようとした際に、巻回部１４２ａが支軸１４１の外周部に引っ掛かり、支軸１４１を支軸挿通孔１２１ｃから支軸導入路１２１ｄへ移動させることができないようになっている。すなわち、係合端部１４２ｂと被係合部１２１ｅとの係合を意図的に外さない限りは、取付片１２１を支軸１４１から取り外すことができないようになっている。
【００２５】
一方、図４に示す状態の支柱立設用鞘管１００の蓋体取付機構１４０からは、以下の取外手順１〜４により、取付片１２１を取り外すことができる。
［取外手順１］  弾性部材１４２における一対の係合端部１４２ｂを内側へ押し込んで弾性的に変位させることによって、係合端部１４２ｂと被係合部１２１ｅとの係合を外し、取付片１２１と弾性部材１４２とが独立して回動できる状態（一体的に回動しない状態）とする。
［取外手順２］  支軸導入路１２１ｄの入口が下側を向くように、取付片１２１の角度を調節する。
［取外手順３］  取付片１２１を上側に持ち上げることで、支軸１４１を支軸挿通孔１２１ｃから支軸導入路１２１ｄへ移動させる。
［取外手順４］  そのまま取付片１２１を上側に持ち上げ、支軸導入路１２１ｄから支軸１４１を抜け出させる。
【００２６】
上記の取外手順４を終えた状態においては、取付片１２１は、支軸１４１から完全に取り外された状態となっている。
【００２７】
上述した取付手順１〜７及び取外手順１〜４は、いずれも、蓋体取付口１３１を通じた操作のみとなっている。このため、本実施態様の支柱立設用鞘管１００は、施工面αを掘り起こすことなく、蓋体１２０を容易に交換することができるものとなっている。加えて、上述した取付手順１〜７や取外手順１〜４は、弾性部材１４２の一対の係合端部１４２ｂを内側に押し込むという簡単な操作（取付手順５及び取外手順１）によって殆ど完了するため、非常に簡単に行うことができる。
【符号の説明】
【００２８】
１００    支柱立設用鞘管
１１０    鞘管本体
１１１    支柱挿入口
１２０    蓋体
１２１    取付片
１２１ａ  基板部
１２１ｂ  起立部
１２１ｃ  支軸挿通孔
１２１ｄ  支軸導入路
１２１ｅ  被係合部
１２２    固定孔
１３０    蓋体取付基体
１３１    蓋体取付口
１３２    支軸挿通孔
１４０    蓋体取付機構
１４１    支軸（ボルト）
１４２    弾性部材
１４２ａ  巻回部
１４２ｂ  係合端部
１４２ｃ  連結部
１４３    ナット
１５０    開閉手段
２００    支柱
３００    切り込み砕石
３１０    基礎ブロック
３１１    鞘管収容孔
３２０    充填材
４００    固定具
α    施工面
【図１】
2015187348.tif 000003
【図２】
2015187348.tif 000004
【図３】
2015187348.tif 000005
【図４】
2015187348.tif 000006
【図５】
2015187348.tif 000007
【図６】
2015187348.tif 000008
【図７】
2015187348.tif 000009
【図８】
2015187348.tif 000010
【図９】
2015187348.tif 000011
【図１０】
2015187348.tif 000012
【図１１】
2015187348.tif 000013